(57)【要約】本発明は、移動通信ネットワークにおいて、該移動通信ネットワークのローカル無線カバーエリア内の移動端末にブロードキャストメッセージを送信するための方法、システム、移動端末、及びプログラムに関する。無線カバーエリアには、ブロードキャストメッセージをブロードキャストするための無線アクセスネットワークエンティティがある。第１のステップでは、ブロードキャストメッセージの送信前に、無線カバーエリア内のサブエリアが定められ、ここで、ブロードキャストメッセージは、無線カバーエリア内のサブエリアの定義に応じた地理的有効性情報を含む。第２のステップでは、ブロードキャストメッセージの送信後に、移動端末が、地理的有効性情報と、当該移動端末の地理的な位置に関するロケーション情報とに応じてブロードキャストメッセージの有効性の検証を行う。【選択図】図２
2013513263.tif 000002
【特許請求の範囲】
【請求項１】
移動通信ネットワーク（３００）において、該移動通信ネットワーク（３００）のローカル無線カバーエリア（１００）内の移動端末（３１０）にブロードキャストメッセージ（４００）を送信する方法であって、前記無線カバーエリア（１００）には、前記ブロードキャストメッセージ（４００）をブロードキャストする無線アクセスネットワークエンティティ（３０２）があり、
第１のステップにおいて、前記ブロードキャストメッセージ（４００）の送信前に、前記無線カバーエリア（１００）内のサブエリア（１１０）が定められ、ここで、前記ブロードキャストメッセージ（４００）は、前記無線カバーエリア（１００）内の前記サブエリア（１１０）の定義に応じた地理的有効性情報（４１０）を含むものであり、
第２のステップにおいて、前記ブロードキャストメッセージ（４００）の送信後に、前記移動端末（３１０）が、前記地理的有効性情報（４１０）と、該移動端末（３１０）の地理的な位置に関するロケーション情報（４２０）とに応じて前記ブロードキャストメッセージ（４００）の有効性を検証し、ここで、該ブロードキャストメッセージ（４００）の有効性の検証は、前記移動端末（３１０）が前記地理的有効性情報（４１０）を処理することにより行われ、前記ブロードキャストメッセージ（４００）の内容は、前記移動端末（３１０）の地理的な位置に対する前記地理的有効性情報（４１０）の有効性検証の結果が肯定的なものである場合にのみ復号される、方法。
【請求項２】
前記ローカル無線カバーエリア（１００）が、前記無線アクセスネットワークエンティティ（３０２）として送受信基地局を有する前記移動通信ネットワーク（３００）内のセル（１００）であり、
前記ブロードキャストメッセージ（４００）をハンドリングするための最小の粒状度が、前記セル（１００）のエリアに限られ、
前記セル（１００）が好ましくはマクロセルである、請求項１に記載の方法。
【請求項３】
所与のブロードキャストメッセージ（４００）の前記地理的有効性情報（４１０）は、制御チャネルを通じて前記移動端末（３１０）に送信されるものであり、
前記所与のブロードキャストメッセージ（４００）に対応するメッセージ内容は、トランスポートチャネルを通じて前記移動端末（３１０）に送信されるものであり、
好ましくは、前記所与のブロードキャストメッセージ（４００）の前記地理的有効性情報（４１０）は、前記所与のブロードキャストメッセージ（４００）の内容を指し示す参照情報を含むものである、請求項１又は２に記載の方法。
【請求項４】
前記無線アクセスネットワークエンティティ（３０２）から前記移動端末（３１０）に対する前記ブロードキャストメッセージ（４００）の送信が、
ＳＭＳ−ＣＢ（ショートメッセージシステムセルブロードキャスト）と、
ＭＢＭＳ（マルチキャストブロードキャストマルチメディアサービス）と、
ｅＭＢＭＳ（次世代マルチキャストブロードキャストマルチメディアサービス）と、
ＰＷＳ公衆警告システム（ＥＴＷＳすなわち地震及び津波警告システム又はＣＭＡＳすなわち商用移動アラートシステム）と、
ＤＭＢ（デジタルマルチメディアブロードキャスティング）、ＤＶＢ（デジタルビデオブロードキャスト）−Ｈ、ＤＶＢ−Ｔ、ＤＶＢ−Ｓ、ＷｉＢｒｏといった他の任意のブロードキャストシステム又はマルチキャストシステムと
を含む群のうちの少なくとも１つにより行われる、請求項１〜３のいずれか１項に記載の方法。
【請求項５】
前記サブエリア（１１０）を定める前記地理的有効性情報（４１０）は、少なくとも１つのＧＰＳ基準情報、好ましくは１つのＧＰＳ基準情報及び円を定める半径の情報、又は多角形を定める少なくとも３つのＧＰＳ基準情報を含むものである、請求項１〜４のいずれか１項に記載の方法。
【請求項６】
前記地理的有効性情報（４１０）は、前記移動端末（３１０）が、前記地理的有効性情報（４１０）と当該移動端末（３１０）の移動方向とに応じて前記ブロードキャストメッセージ（４００）の有効性を検証できるようにするための、方向に応じた指示を含むものである、請求項１〜５のいずれか１項に記載の方法。
【請求項７】
前記地理的有効性情報（４１０）は、前記移動通信ネットワーク（３００）の複数のセル（１０１、１０２、１０３、１０４）内の複数のサブエリア（１１１、１１２、１１３、１１４）に対応する連続した地理的エリア（１２０）を指し示すものである、請求項１〜６のいずれか１項に記載の方法。
【請求項８】
前記ブロードキャストメッセージ（４００）は、前記移動通信ネットワーク（３００）の前記ローカル無線カバーエリア（１００）内の別の移動端末（３１５）へと送信され、
前記別の移動端末（３１５）は、当該別の移動端末（３１５）の地理的な位置（３２１）に関するロケーション情報を有さず、
前記ブロードキャストメッセージ（４００）の送信後に、前記別の移動端末（３１５）は、前記第２のステップにおいて前記ブロードキャストメッセージ（４００）を有効なものとするか又は無効なものとする、請求項１〜７のいずれか１項に記載の方法。
【請求項９】
移動通信ネットワーク（３００）と、該移動通信ネットワーク（３００）のローカル無線カバーエリア（１００）内の移動端末（３１０）とを有する、ブロードキャストメッセージ（４００）を送信するためのシステムであって、前記無線カバーエリア（１００）には、前記ブロードキャストメッセージ（４００）をブロードキャストする無線アクセスネットワークエンティティ（３０２）があり、
前記ブロードキャストメッセージ（４００）の送信前に、前記無線カバーエリア（１００）内のサブエリア（１１０）が定められ、ここで、前記ブロードキャストメッセージ（４００）は、前記無線カバーエリア（１００）内の前記サブエリア（１１０）の定義に応じた地理的有効性情報（４１０）を含むものであり、
前記ブロードキャストメッセージ（４００）の送信後に、前記移動端末（３１０）が、前記地理的有効性情報（４１０）と、該移動端末（３１０）の地理的な位置に関するロケーション情報（４２０）とに応じて前記ブロードキャストメッセージ（４００）の有効性を検証し、ここで、該ブロードキャストメッセージ（４００）の有効性の検証は、前記移動端末（３１０）が前記地理的有効性情報（４１０）を処理することにより行われ、前記ブロードキャストメッセージ（４００）の内容は、前記移動端末（３１０）の地理的な位置に対する前記地理的有効性情報（４１０）の有効性検証の結果が肯定的なものである場合にのみ復号される、システム。
【請求項１０】
前記ローカル無線カバーエリア（１００）が、前記無線アクセスネットワークエンティティ（３０２）として送受信基地局を有する前記移動通信ネットワーク（３００）内のセル（１００）であり、
前記ブロードキャストメッセージ（４００）をハンドリングするための最小の粒状度が、前記セル（１００）のエリアに限られ、
前記セル（１００）が好ましくはマクロセルである、請求項９に記載のシステム。
【請求項１１】
前記移動通信ネットワーク（３００）が、
ＵＭＴＳ（ユニバーサル移動通信標準規格）と、
ｃｄｍａ２０００（符号分割多元接続２０００）と、
ＬＴＥ（ロングタームエボリューション）と、
ＬＴＥアドバンスト（次世代ロングタームエボリューション）と、
ＷｉＭＡＸ（マイクロ波アクセス世界相互運用規格）と
を含む群のうちの少なくとも１つに基づくネットワークである、請求項９又は１０に記載のシステム。
【請求項１２】
前記サブエリア（１１０）を定める前記地理的有効性情報（４１０）は、少なくとも１つのＧＰＳ基準情報、好ましくは１つのＧＰＳ基準情報及び円を定める半径の情報、又は多角形を定める少なくとも３つのＧＰＳ基準情報を含むものである、請求項９〜１１のいずれか１項に記載のシステム。
【請求項１３】
ブロードキャストメッセージ（４００）を受信する移動端末（３１０）であって、該移動端末（３１０）は移動通信ネットワーク（３００）のローカル無線カバーエリア（１００）内に位置し、前記ブロードキャストメッセージ（４００）は、前記無線カバーエリア（１００）内のサブエリア（１１０）に関する地理的有効性情報（４１０）を含むものであり、
前記移動端末（３１０）は、前記地理的有効性情報（４１０）と、当該移動端末（３１０）の地理的な位置に関するロケーション情報（４２０）とに応じて、前記ブロードキャストメッセージ（４００）の有効性を検証し、ここで、前記ブロードキャストメッセージ（４００）の有効性の検証は、前記移動端末（３１０）が前記地理的有効性情報（４１０）を処理することにより行われ、
前記ブロードキャストメッセージ（４００）の内容は、前記移動端末（３１０）の地理的な位置に対する前記地理的有効性情報（４１０）の有効性の検証の結果が肯定的なものである場合にのみ復号される、移動端末。
【請求項１４】
請求項１３に記載の移動端末（３１０）を制御するか、又は請求項９に記載のシステムを制御するコンピュータ可読プログラムコードを有するプログラム。
【請求項１５】
請求項１４に記載のコンピュータ可読プログラムコードを有するコンピュータプログラム製品。
【発明の詳細な説明】
【技術分野】
【０００１】
本発明は、好ましくはセルラ移動ネットワークにおけるブロードキャストメッセージの地理的に見て選択的な（geographically selective）ハンドリングのための方法及びプログラムに関する。このセルラ移動ネットワークの例は、ＧＥＲＡＮ、ＵＴＲＡＮ、ＬＴＥあるいはＥ−ＵＴＲＡＮ、ＬＴＥアドバンスト、ｃｄｍａ２０００、ＷｉＭＡＸ、ＷｉＢｒｏである。本方法及び本プログラムにおいては、移動端末がブロードキャストエリア内の定められたサブエリア内、好ましくはセル内の選択された地理的サブエリアにのみ位置する場合には、その移動端末に対するブロードキャストメッセージは別のやり方でハンドリングされる。本発明は、ＤＶＢ−Ｔ、ＤＶＢ−Ｓ、ＤＡＢ、ＤＭＲ、ＲＤＳ、衛星といった、「セルラネットワーク」とは呼ばれない別のワイヤレス無線技術におけるブロードキャストメッセージのハンドリング又は配信にも適用することができる。
【背景技術】
【０００２】
ＧＥＲＡＮ、ＵＴＲＡＮ、ＬＴＥあるいはＥ−ＵＴＲＡＮ、ＬＴＥアドバンスト、ｃｄｍａ２０００、ＷｉＭＡＸ、ＷｉＢｒｏといったセルラ移動無線ネットワークに対して、ブロードキャスト機能が設計されている。これらの機能は、ＧＳＭ（登録商標）に対して開発された、主にテキストベースの、長さが制限されたショートメッセージの配信を可能とするＳＭＳセルブロードキャスト（SMS cell broadcast, ＳＭＳ−ＣＢ）から、３ＧＰＰリリース６におけるＵＴＲＡＮのためのＭＢＭＳ（Multimedia Broadcast and Multicast Service）又はＩＭＢ（Integrated Multimedia Broadcast）、並びに３ＧＰＰリリース９以降におけるＬＴＥあるいはＥ−ＵＴＲＡＮのためのｅＭＢＭＳ（enhanced Multimedia Broadcast and Multicast Service）に及んでいる。後者の技術は、マルチメディアコンテンツの配信を可能とするだけでなく、ブロードキャスト形式でのテキストサービス又はグラフィックサービスも可能とする。マルチメディアコンテンツ（例えばモバイルＴＶ）を配信する非セルラ移動技術、すなわちＤＶＢ−Ｔ、ＤＶＢ−Ｈ、ＤＶＢ−Ｓ、ＭｅｄｉａＦＬＯ、ＤＭＢ等も今日では存在している。ブロードキャストメッセージの配信の関心を集めている別の分野は、緊急時の公衆（移動携帯電話のユーザ）用警告システムを可能にしたいという当局の要求である。この分野では、地元当局からの様々な要件により多くの部分で異なる手法が今日では共存している。移動機のユーザを対象として３ＧＰＰにより定められているこのような技術の顕著な例は、アジア市場において主に用いられているＥＴＷＳ（Earthquake and Tsunami Warning System）、北アメリカにおいて主に用いられているＰＷＳ（Public Warning System, 公衆警告システム）、ＣＭＡＳ（Commercial Mobile Alert System, 商用移動アラートシステム）、さらには（ヨーロッパにおいて現在策定中の）ＳＭＳ−ＣＢである。
【０００３】
現在のところ、あらゆるシステム及び方法は、ＰＬＭＮ又はＰＬＭＮの下位部分（subpart）において全ての又は選択された数の端末デバイスにメッセージが配信されるという共通の原理を有する。メッセージを配信することのできる最小の地理的エリアは、セルラ移動通信ネットワーク内の単一のセルである。（移動通信ネットワークの非セルラ送信モードの場合も含めて）より一般的に言えば、メッセージを配信することのできる最小の地理的エリアは、送受信基地局（base transceiver station）又はブロードキャストのための無線アンテナを有する他のデバイスといった無線アクセスネットワークエンティティにより通常、サービス提供がなされるローカルな無線カバーエリア（local radio coverage area）である。通常、セルラネットワークは複数の無線セルからなる。無線セルは、基地局から送信された無線信号を受信することのできる、セルラ移動ネットワーク内の地理的なエリアである。セルラ技術のほとんどにおいて、マクロ基地局の範囲は都市部のエリアでは５００メートル〜１０００メートル程度である一方で、地方のエリアでは通常、セルの半径は５キロメートル〜１０キロメートルであり、さらには、ＵＭＴＳにおいては特定の周波数帯域向けに最大で１３５キロメートルの半径を有する。非セルラ無線技術では、単一の基地局のカバーエリアは、通常はるかに大きく、例えばＤＶＢ−Ｔにおいては５０キロメートル〜１００キロメートルであり、ＤＶＢ−Ｓのような衛星ブロードキャスト技術を用いる場合には、数百キロメートルである。
【０００４】
このことが意味するのは、既知の技術によれば、（ある無線アクセスネットワークエンティティの）ローカルな無線カバーエリア内のセルブロードキャストイベント又はブロードキャスト処理により、そのセルブロードキャスト（又はローカルな無線カバーエリアのブロードキャスト）イベントがローカルな無線カバーエリアの特定の地理的部分若しくはサブエリアのみに関係しているか又は関係すべきものである場合であっても、多くの移動端末が巻き込まれる可能性があるということである。つまり、従来のワイヤレス技術によれば、ブロードキャストメッセージの最小の地理的配信エリアは、セルのエリア（又はローカルな無線カバーエリア）に相当するということになる。
【発明の概要】
【発明が解決しようとする課題】
【０００５】
本発明の目的は、あらゆる無線送信に基づくシステム、例えばセルラ移動通信ネットワークにおける、ブロードキャストメッセージ又はそれに対応するサービスの地理的に見て選択的なハンドリングのための方法、システム、移動端末、及びプログラムを提供し、当該システム及び当該移動端末のユーザに対するサービスの品質を向上させ、それに関連するコストを低減することにある。
【課題を解決するための手段】
【０００６】
上記目的は、移動通信ネットワークにおいて、該移動通信ネットワークのローカル無線カバーエリア内の移動端末にブロードキャストメッセージを送信する方法により達成される。ここで、無線カバーエリアには、ブロードキャストメッセージをブロードキャストするための無線アクセスネットワークエンティティがある。第１のステップにおいて、ブロードキャストメッセージの送信前に、無線カバーエリアのサブエリアが定められ、ここで、ブロードキャストメッセージは、無線カバーエリア内のサブエリアの定義（definition）に応じた地理的有効性情報（geographical validity information）を含むものである。第２のステップでは、ブロードキャストメッセージの送信後に、移動端末が、地理的有効性情報と、当該移動端末の地理的な位置に関するロケーション情報とに応じてブロードキャストメッセージの有効性の検証を行う。
【０００７】
したがって、本発明によれば、有利な点として、移動端末（以下「ＵＥ」すなわちユーザ機器（User Equipment）とも呼ぶ）であって、移動通信ネットワーク内で当該移動端末の地理的な位置を（例えばＧＰＳ（ＧＮＳＳ（Global Navigation Satellite System, グローバルナビゲーション衛星システム）受信機により）特定することのできる移動端末（以下「位置認識ＵＥ（geo-aware UE）」とも呼ばれる）は、ローカル無線カバーエリアの一部（subpart）又はサブエリアにおいて、当該移動端末がローカル無線カバーエリアのその他の部分に位置する場合のブロードキャストメッセージのハンドリングとは別の方式で、ブロードキャストメッセージをハンドリングすることができる。したがって、本発明による方法は、移動通信ネットワークの無線カバーエリア又はセルの地理的境界とは別に、地理的領域を定めることを可能とし、ブロードキャストメッセージのハンドリングは、ブロードキャストメッセージを受信する移動端末がその地理的領域内に位置するか否かに応じて異なる。セルラ通信ネットワークの１つのセル又は１つの無線カバーエリアにおいて、前記地理的領域に属する部分は、以下、（ブロードキャストメッセージの特定のハンドリングを伴う）サブエリアとも呼ばれる。（ブロードキャストメッセージの特定のハンドリングを伴う）地理的領域がセル又は無線カバーエリアの境界にまたがらない場合には、ブロードキャストメッセージの特定のハンドリングを伴う地理的領域は、そのようなセルのサブエリアと同一である。（ブロードキャストメッセージの特定のハンドリングを伴う）地理的領域がセル又は無線カバーエリアの境界にまたがる場合には、その地理的エリアは（異なるセル又は無線カバーエリア内の複数のサブエリアを含む）連続した地理的エリアとも呼ばれる。後者の場合（すなわち地理的領域がセル又は無線カバーエリアの境界にまたがる場合）には、連続した地理的エリアが１つ以上のセルを完全に含むように、すなわち、そのようなセルに関してサブエリアがセルのエリアと同一とすることが当然できる。
【０００８】
本発明の好ましい実施の形態によれば、ブロードキャストメッセージの有効性の検証は、移動端末が、地理的有効性情報を処理することによって行われる。ブロードキャストメッセージの内容は、その移動端末の地理的な位置に対する地理的有効性情報の有効性の検証の結果が肯定的なものである場合にのみ復号される。
【０００９】
本発明のこの実施の形態によれば、移動端末の地理的な位置と移動の少なくとも一方に対する地理的有効性情報の有効性検証の結果が否定的なものである場合（すなわち、移動端末の（又は移動端末により検出される）地理的な位置と移動方向との少なくとも一方が、（潜在的には方向に応じた指示（indication）を含む）地理的有効性情報の定義（definition）と比較して、その移動端末がそのブロードキャストメッセージに関係ないようなものである場合）には、移動端末がブロードキャストメッセージの内容を受信する必要がない（このためその内容を復号する必要がない）。
【００１０】
したがって、有利な点として、ブロードキャストメッセージの内容の完全な復号を、移動端末の地理的な位置に対する地理的有効性情報の有効性検証の結果が肯定的なものである場合に限って行うことができる。すなわち、移動端末が地理的有効性情報によって定められた地理的境界内に位置する場合、又は移動端末が地理的有効性情報によって定められた地理的境界内に位置するだけではなく、検出された移動端末の移動方向が地理的有効性情報の方向に応じた指示に対応するような移動方向である場合のメッセージに限って行うことができる。
【００１１】
したがって、地理的有効性情報に対する移動端末の位置と移動方向の少なくとも一方の有効性検証の結果が肯定的なものである場合にのみ、（１つ以上の画像（又は画像を表すデータ）、ビデオシーケンス等のような比較的大量のデータを含む可能性がある）ブロードキャストメッセージの内容が復号されるため、移動端末のエネルギーを節減することができる。
【００１２】
本発明によれば、地理的有効性情報が、制御チャネル（特に、ユニバーサル移動通信システム（Universal Mobile Telecommunication System, ＵＭＴＳ）又はロングタームエボリューション（Long Term Evolution, ＬＴＥ）標準規格に基づく公衆陸上移動ネットワークが用いられる場合には、ＭＣＣＨ（Multicast Control Channel, マルチキャスト制御チャネル））を通じて移動端末に送信され、それに対応するメッセージ内容が、トランスポートチャネル（特に、ユニバーサル移動通信システム（ＵＭＴＳ）又はロングタームエボリューション（ＬＴＥ）標準規格に基づく公衆陸上移動ネットワークが用いられる場合には、ＭＴＣＨ（Multicast Transport Channel, マルチキャストトランスポートチャネル））を通じて移動端末に送信されることが更に好ましい。
【００１３】
さらに、（ブロードキャストメッセージの）地理的有効性情報が、ブロードキャストメッセージの内容を指し示すか又は参照する参照情報を含むことが好ましい。したがって、本発明によれば、有利な点として、移動端末の地理的な位置（と移動方向との少なくとも一方）に対する地理的有効性情報の有効性検証の結果が肯定的なものである場合にのみブロードキャストメッセージの内容を復号することを容易に実施することができる。
【００１４】
本発明によれば、（所与のブロードキャストメッセージの）地理的有効性情報の送信時点と、このブロードキャストメッセージの対応する内容の送信時点とが、少なくとも１つの送信時間間隔（transmission time interval, ＴＴＩ）の最小時間遅延だけ異なることが特に好ましい。これは、この時間遅延が、（所与のブロードキャストメッセージの）地理的有効性情報の送信の終了と、このブロードキャストメッセージに対応する内容の送信の開始との間に設けられることを意味する。
【００１５】
この最小時間遅延を設けない場合には、移動端末は対応するブロードキャストメッセージの内容の受信を直ちに開始することもできる。しかし、この場合、移動端末がメッセージ内容の初めの部分の受信したことが保証されないため、メッセージ内容の一部しか受信しない可能性があるか、又はメッセージ内容の全体を得るためにメッセージ内容の再送信に頼らなくてはならない。
【００１６】
本発明において、（セルラ通信ネットワークの）セルは、例えば基地局又はＮｏｄｅＢ又はｅＮｏｄｅＢ等の、少なくとも１つのアンテナ装置を有するネットワークエンティティの無線カバーエリアに相当する。特に、本発明によれば、用語として「セル」又は「無線カバーエリア」は、（ｅ）ＭＢＭＳの効率をより良くするために、通常ＭＢＳＦＮ（MBMS Single Frequency Network, ＭＢＭＳ単一周波数ネットワーク）として動作する、（ｅ）ＭＢＭＳサービスエリア（ＵＭＴＳによるＭＢＭＳサービスエリア又はＬＴＥによるｅＭＢＭＳサービスエリア）として定められるいわゆるマクロセル群にも相当する。
【００１７】
したがって、本発明による方法は、（例えば、内蔵されるか又は取り付けられたＧＰＳ（ＧＮＳＳ（Global Navigation Satellite System, グローバルナビゲーション衛星システム））受信機を有することによる）位置認識端末と、以下で更に説明する標準的なブロードキャスト配信方法とからなる無線環境におけるブロードキャストメッセージの地理的に見て選択的なハンドリングと配信の少なくとも一方を提供する。以下、本発明は主に、ｅＭＢＭＳ機能を含むＬＴＥあるいはＥ−ＵＴＲＡＮシステムを用いて説明する。しかし、本方法の適用可能性はこの種類のシナリオ又は構成に限定されない。以下、用語としてＧＰＳ及びＧＮＳＳ（グローバルナビゲーション衛星システム）を同義語として用いる。すなわち、ＧＰＳに言及する場合には、ＧＮＳＳも意図されている。その逆もまた同様である。
【００１８】
本発明の好ましい実施の形態によれば、ローカル無線カバーエリアは、無線アクセスネットワークエンティティとして送受信基地局を有する移動通信ネットワークのセルである。ブロードキャストメッセージの配信の最小の粒状度（あるいは配信範囲の細かさ）（granularity）はそのようなセルのエリアに限定される。セルは好ましくはセルラ移動通信ネットワークのマクロセルである。
【００１９】
本発明によれば、ブロードキャストメッセージは、例えばモバイルＴＶ、テキストに基づくか若しくはグラフィックに基づく株式情報、天気情報のコンテンツ、又はオンデマンドの書籍、映画、ポッドキャストといった他のサービス等のブロードキャストサービスを提供するためのコンテンツ情報を有する１つ以上のデータユニットを指すものとすることができる。１つ以上のブロードキャストメッセージと、１つ以上のデータユニットとの間の参照関係又はリンクは、例えば、（ブロードキャストメッセージの一部として）地理的有効性情報と同一であるか又は地理的有効性情報を参照する地理的識別情報を用いて提供することができる。
【００２０】
本発明において以下がさらに好ましい。
・移動通信ネットワークは、ＵＭＴＳ（Universal Mobile Telecommunications Standard, ユニバーサル移動通信標準規格）と、ｃｄｍａ２０００（Code Division Multiple Access 2000, 符号分割多元接続２０００）と、ＬＴＥ（ロングタームエボリューション）と、ＬＴＥアドバンスト（Long Term Evolution Advanced, 次世代ロングタームエボリューション）と、ＷｉＭＡＸ（Worldwide Interoperability for Microwave Access, マイクロ波アクセス世界相互運用規格）とを含む群のうちの少なくとも１つによる標準規格に基づくネットワークであること。
・無線アクセスネットワークエンティティから移動端末に対するブロードキャストメッセージの送信は、ＳＭＳ−ＣＢ（Short Message System Cell Broadcast, ショートメッセージシステムセルブロードキャスト）と、ＭＢＭＳ（Multicast Broadcast Multimedia Service, マルチキャストブロードキャストマルチメディアサービス）と、ｅＭＢＭＳ（evolved Multicast Broadcast Multimedia Service, 次世代マルチキャストブロードキャストマルチメディアサービス）と、ＰＷＳ（ＥＴＷＳ又はＣＭＡＳ）と、ＤＭＢ、ＤＶＢ−Ｈ、ＤＶＢ−Ｔ、ＤＶＢ−Ｓ、ＷｉＢｒｏといった他の任意のブロードキャストシステム若しくはマルチキャストシステムとを含む群のうちの少なくとも１つを用いて行われること。
【００２１】
本発明の全ての実施の形態において、サブエリア（又は複数のセル内の複数のサブエリア、すなわち連続した地理的エリア）を定める地理的有効性情報が、少なくとも１つの地理的基準情報、好ましくは１つのＧＰＳ基準情報及び円を定める半径の情報、又は多角形、特に三角形若しくは四角形若しくは自由に決めることのできる任意の他の形を定める少なくとも３つ若しくは４つのＧＰＳ基準情報を含むことが好ましい。複数のセルにおける１つ以上のサブエリア、すなわち連続した地理的エリアの地理的な定義（definition）の他の例には以下の事例が含まれる。
・道路又は高速道路又は鉄道線路を辿る、道路又は高速道路又は鉄道線路の幅よりも大きな幅を有するサブエリア又は連続した地理的エリア、すなわち、道路、高速道路、又は鉄道線路の直線部分の場合は矩形のサブエリア又は連続した地理的エリア、曲がった道路、高速道路、又は鉄道線路の場合は「曲がった矩形（curved rectangular）」（又は道路、高速道路、若しくは鉄道線路を辿る複数の矩形の重ね合わせ）。
・地方、又は連邦州（例えばドイツにおける連邦州（Bundesland））、又は（例えばフランスにおける）県、又は郡（例えばドイツにおける郡（Landkreis）又は区（Stadtbezirk））等の行政区画又はエンティティの境界を概ね辿るサブエリア又は連続した地理的エリア。
【００２２】
したがって、本発明によれば有利な点として、無線セルの、又は一般的に言えば、ローカル無線カバーの特定の地理的部分を容易に指定することができ、対応する情報を、容易にかつ実質的により高いコストもネットワークトラフィックも伴うことなく送信することができる。それにより、無線セルの指定されたサブエリアの外にある移動端末と比べて、無線セルの指定されたサブエリア内に位置する移動端末によるそのようなメッセージの異なるハンドリングを提供することができる。
【００２３】
さらに、本発明によれば、地理的有効性情報は、地理的有効性情報と移動端末の移動方向とに応じて、該移動端末がブロードキャストメッセージの有効性を検証することを可能とする、方向に応じた指示（indication）を含む。
【００２４】
それによって、有利には、地理的有効性情報に対応した無線セルのサブエリア内に全て位置してはいるものの、異なる方向、特に反対方向に移動している移動端末を更に区別することができる。移動端末の移動方向を用いることによって、有利には、地理的有効性情報に対応する無線セルのサブエリア内に全て位置するものの、異なる方向、特に反対方向に移動している移動端末を区別することができる。本発明によれば、移動端末の移動方向をその移動端末内に保存することにより、地理的有効性情報の評価の際に考慮される（その移動端末の）移動方向を、必ずしも瞬間的な移動方向ではなく、
・所定の時間間隔に対応するか又は所定の距離に対応する平均的な移動方向、又は
・移動端末が現在概ね静止している場合には、直近に測定された移動端末の移動方向
とすることができる。したがって、有利には、移動端末のユーザにとってより効率的な方式で、到来するブロードキャストメッセージを移動端末が評価できる。
【００２５】
本発明によれば、地理的有効性情報は、移動通信ネットワークの複数のセル内の複数のサブエリアに相当する連続した地理的エリアを指し示すことが更に好ましい。
【００２６】
したがって、有利には、地理的有効性情報が複数の無線セルにわたって広がるエリアに対応し、それにより、複数のセル内の複数のサブエリアを地理的有効性情報によって指定できる。
【００２７】
さらに、本発明によれば、ブロードキャストメッセージは移動通信ネットワークのローカル無線カバーエリア内の別の移動端末に送信される。その別の移動端末は、当該別の移動端末の地理的な位置に関するロケーション情報を有さず、ブロードキャストメッセージの送信後に、その別の移動端末は、第２のステップにおいてブロードキャストメッセージを有効なものとするか又は無効なものとすることが好ましい。
【００２８】
したがって、有利な点として、位置認識しない移動端末、すなわちその別の移動端末の地理的な位置に関するロケーション情報を求める手段（ＧＰＳデバイス等）を備えていない（又は割り当てられていない）移動端末にも、本発明による方法を適用できる。
【００２９】
本方法を以下のステップにより簡潔に説明する。位置認識ＵＥがブロードキャストメッセージを受信し、ここで、その位置認識ＵＥは無線セルのサブエリア内に位置する。主な用途は、地方のエリアのＬＴＥネットワークのマクロセル（比較的大きなマクロセル）において説明する方法の使用であるが、本発明はそれに限定されない。好ましくは、ブロードキャストメッセージは、ＵＥによって、所与のマクロセル内の十分に定められた部分においてのみハンドリングされることになる。そのようなシナリオのための用途は、例えば道路交通の最新情報又は局地的な気象警報である。本方法に際して、ＵＥにおける受信機能の他に、ネットワークが例えばｅＭＢＭＳサービスをサポートし、ＵＥが位置認識をする、すなわち、例えばＧＰＳユニットによって生成されたロケーション情報、すなわち移動端末の地理的な位置に対応するロケーション情報によってそのＵＥの地理的な位置を「知る」ことが必要となる。本発明の１つの主な態様は、（特にローカル無線カバーエリア内のより小さな地理的エリア又はサブエリアに関して、）全く制約なく地理的エリアを定めることができるようにすることである。そして、ブロードキャストメッセージは、（ブロードキャストメッセージがカバーエリア全体（又は移動端末にサービス提供している現在のセル）において、無線カバーエリア内の移動端末の地理的な位置に関わらず同じやり方で全ての移動端末によって受信及びハンドリングされる従来技術とは対照的に）移動端末によって異なったやり方で処理又はハンドリングされることになる。ブロードキャストメッセージを無線セル内のあるサブエリアにおいてその無線セルの別の部分とは異なる方式で配信又は処理することができないという制約を除いて、特にローカル無線カバーエリアよりも大きな地理的エリアに関して、現在、他のエリア制約は存在しない（すなわち、（例えばｅＭＢＭＳサービスエリアと呼ばれる）セルのクラスタを表す複数のセルにおいて、又はエリアにわたって広がる複数の単一セルにおいて、ブロードキャストメッセージを配信することができる）。これは、本発明による方法、システム、及び移動デバイスを用いることによって、セルラネットワークの地理的なエリアを自由に定めることができることを意味し、当該地理的エリアにおいて、位置認識ＵＥには、特定のブロードキャストメッセージを受信し、末端顧客又は末端顧客アプリケーションに配信されることが通知される。特に、セルラネットワークの移動事業者が、ブロードキャストメッセージが位置認識をする移動端末に配信されることになる地理的エリアを、そのようなブロードキャストメッセージの移動端末による適応的なハンドリングが容易になるように自由に定めることができる。ローカル無線カバーエリア（又はセルラ通信ネットワーク内の無線セル）の地理的サブエリアの定め方は、サイズ制限又は形状の制約を一切伴うことなく、単一のローカル無線カバーエリア（特にマクロセル）において１メートルから数百キロメートルの範囲を取るようにすることができる。
【００３０】
さらに、本発明は、ブロードキャストメッセージを送信するためのシステムに関する。このシステムは、移動通信ネットワークと、該移動通信ネットワークのローカル無線カバーエリア内の移動端末とを有する。無線カバーエリアには、ブロードキャストメッセージをブロードキャストするための無線アクセスネットワークエンティティがある。ブロードキャストメッセージの送信前に、無線カバーエリアのサブエリアが定められ、ここで、ブロードキャストメッセージは、無線カバーエリアのサブエリアの定義（definition）に応じた地理的有効性情報を含む。そして、ブロードキャストメッセージの送信後には、移動端末により、地理的有効性情報と、該移動端末の地理的な位置に関するロケーション情報とに応じたブロードキャストメッセージの有効性の検証が行われる。
【００３１】
本発明において以下が特に好ましい。
・ローカル無線カバーエリアが、無線アクセスネットワークエンティティとして送受信基地局を有する移動通信ネットワークのセルであり、ブロードキャストメッセージの配信のための最小の粒状度は、そのようなセルのエリアに限られ、セルは好ましくはマクロセルであること。
・移動通信ネットワークが、ＵＭＴＳ（ユニバーサル移動通信標準規格）、ｃｄｍａ２０００（符号分割多元接続２０００）、ＬＴＥ（ロングタームエボリューション）、ＬＴＥアドバンスト（次世代ロングタームエボリューション）、ＷｉＭＡＸ（マイクロ波アクセス世界相互運用規格）標準規格を含む群のうちの少なくとも１つに基づくネットワークであること。
・サブエリアを定める地理的有効性情報は、少なくとも１つのＧＰＳ基準情報、好ましくは、１つのＧＰＳ基準情報及び円を定める半径の情報、又は多角形を定める少なくとも３つのＧＰＳ基準情報を含むこと。
・地理的有効性情報は、移動通信ネットワークの複数のセル内の複数のサブエリアに対応する連続した地理的エリアを指し示すこと。
【００３２】
本発明は、ブロードキャストメッセージを受信する移動端末にも関するものである。この移動端末は、移動通信ネットワークのローカル無線カバーエリア内に位置する。ブロードキャストメッセージは、無線カバーエリアのサブエリアに関する地理的有効性情報を含み、好ましくは、地理的有効性情報は方向に応じた指示（indication）を含む。この移動端末は、地理的有効性情報と、該移動端末の地理的な位置に関するロケーション情報と、好ましくは該移動端末の移動方向とに応じてブロードキャストメッセージの有効性を検証する。
【００３３】
さらに、本発明は以下に関連する。
・本発明による移動端末を制御するか、又は本発明によるシステムを制御するためのコンピュータ可読プログラムコードを有するプログラム。
・本発明によるコンピュータ可読プログラムコードを有するコンピュータプログラム製品。
【図面の簡単な説明】
【００３４】
【図１】従来技術におけるセルラ通信ネットワーク内の複数のセルを概略的に示す説明図である。
【図２】本発明の第１の実施形態に係るシステム内の複数のセルを概略的に示す説明図である。
【図３】本発明の第２の実施形態に係るシステム内の複数のセルを概略的に示す説明図である。
【図４】本発明によるメッセージフローを概略的に示す説明図である。
【図５】本発明に係る概略的なフローチャートである。
【図６】ブロードキャストメッセージの一例を概略的に示す説明図である。
【図７】異なるトランスポートチャネルを用いた２つのブロードキャストメッセージの送信例を概略的に示す説明図である。
【発明を実施するための形態】
【００３５】
本発明について、特定の実施形態に関する図面を参照して説明するが、本発明はそれらに限定されるものではなく、特許請求の範囲の記載によってのみ定められる。説明に用いる図面は単に概要を示すためのものであり、限定的なものではない。図面においては、要素のうちの幾つかのものの大きさが誇張されている場合があり、説明とい目的の下、縮尺通りに描かれていない場合がある。
【００３６】
単数名詞（singular noun）に言及する際に「a」、「an」、「the」といった定冠詞あるいは不定冠詞を用いる場合には、特段の指定がない限り、当該名詞の複数形が含まれる。
【００３７】
さらに、明細書及び特許請求の範囲において、第１、第２、第３といった用語は、類似した要素を区別するために用いられるものであって、必ずしも順番又は時系列を説明するために用いられるものではない。このように用いられる用語は、適切な状況下で互いに交換可能であることと、本明細書にて説明する本発明の実施形態は、本明細書に説明又は例示するもの以外の順序でも動作可能であることとを理解されたい。
【００３８】
図１は、従来技術におけるセルラ通信ネットワーク３００内の複数のセル１００を概略的に示している。可能な限り最も小さなブロードキャスト配信エリア（すなわち最小のブロードキャスト配信エリア）は、ある単一のセル１００によって定められる。高速道路４６０上の事故４５０について車両に警告するためには、少なくとも第１のセル１０１と第２のセル１０２と第３のセル１０３と第４のセル１０４とを、ブロードキャストエリアとして定める必要がある。従来技術によれば、第１のセル１０１と第２のセル１０２と第３のセル１０３と第４のセル１０４とにおいて（例えば高速道路上の事故を通知するための）ブロードキャストメッセージをブロードキャストすることによる負の副次的影響が存在する。それは、高速道路４６０から遠く離れた、例えば第４の移動端末３１４の位置にあるブロードキャスト受信機も、このブロードキャストメッセージがおそらくこの第４の移動端末３１４のユーザには関係ないにも関わらず、ブロードキャスト警告メッセージを受信し、所定のハンドリング規則に従ってこのメッセージをハンドリングすることになるというものである。
【００３９】
図２は、本発明におけるセルラ通信ネットワーク３００内の複数のセル１００を概略的に示している。図３は、本発明におけるセルラ通信ネットワーク３００内のセル１００を概略的に示している。
【００４０】
図３は、（ブロードキャストメッセージの特定のハンドリングを伴う）地理的領域が、セル１００又は無線カバーエリア１００の境界とは交差しない状況を示している。つまり、ブロードキャストメッセージの特定のハンドリングを伴う地理的領域が、このセル１００内のサブエリア１１０と同一である。図３は、（ブロードキャストメッセージの特定のハンドリングを伴う）地理的領域が、セル１００又は無線カバーエリア１００の境界と交差する状況を示している。これは、地理的エリアを、（異なるセル１０１、１０２、１０３、１０４内又は無線カバーエリア１０１、１０２、１０３、１０４内の複数のサブエリア１１１、１１２、１１３、１１４を含む）連続した地理的エリア１２０とも呼ぶことができるということを意味する。
【００４１】
本発明によれば、セル１００内（又は移動通信ネットワーク３００のローカルな無線カバーエリア１００内）の地理的領域又は地理的エリア、すなわちサブエリア１１０を、ブロードキャストメッセージがサブエリア１１０の定義（definition）に応じた地理的有効性情報（geographical validity information）を含むものとなるように定めることができる。
【００４２】
本発明において、セル又はローカル無線カバーエリアは、通常、符号１００によって示し、セル又はローカル無線カバーエリアのサブエリアは、通常、符号１１０によって示す。（例えば近傍にある）別のセル１００又は別のセル内の別のサブエリア１１０を特に示す場合には、符号１０１、１０２、１０３、１０４及び「第１のセル」、「第２のセル」、「第３のセル」、「第４のセル」という名称を用いるとともに、符号１１１、１１２、１１３、１１４及び「第１のサブエリア」、「第２のサブエリア」、「第３のサブエリア」、「第４のサブエリア」という名称を用いる。
【００４３】
本発明において、移動端末３１０又はユーザ機器（ＵＥ）は、通常、符号３１０によって示す。別の移動端末３１０又は特定の移動端末３１０を特に示す場合には、符号３１１、３１２、３１３、３１４及び「第１の移動端末」、「第２の移動端末」、「第３の移動端末」、「第４の移動端末」という名称を用いる。概して、主に本発明による方法及びシステムとともに用いられる移動端末３１０は、位置の認識を行う（geo-aware）移動端末３１０であるか、又は本来は位置の認識をしないものの、その移動端末の地理的な位置に関するロケーション情報を生成するデバイスに接続又はその他の形でリンクしている移動端末３１０である。位置認識をしない移動端末、すなわちその移動端末の地理的な位置に関するロケーション情報へのアクセスを有しない移動端末は、別の移動端末３１５とも呼ぶ。
【００４４】
図２に概略的に示した例では、高速道路４６０沿いの事故４５０を車両に警告するために、（ブロードキャスト配信エリアとも呼ぶ）連続した地理的エリア１２０が、一組のＧＰＳ基準点によって定められる。図２の例では、連続した地理的エリア１２０は、少なくとも、第１のセル１０１内の第１のサブエリア１１１と、第２のセル１０２内の第２のサブエリア１１２と、第３のセル１０３内の第３のサブエリア１１３と、第４のセル１０４内の第４のサブエリア１１４とを含んでいる。連続した地理的エリア１２０は、例えば、高速道路４６０沿いの４つのＧＰＳ点１０６、１０７、１０８、１０９による多角形（polygon）として定められる。連続した地理的エリア１２０内又は当該連続した地理的エリア１２０外に位置し、自己の地理的な位置に関するロケーション情報へアクセスできる（位置認識移動端末又は位置認識ＵＥとも呼ばれる）移動端末は、（ブロードキャストメッセージ内の）地理的有効性情報を用いて、高速道路上の事故に関するブロードキャストメッセージが関係のあるものであるか否かを判断することができる。すなわちブロードキャストメッセージの有効性の検証を行うことができる。これは、連続した地理的エリア１２０外に位置する移動端末、例えば、第４の移動端末３１４等の、高速道路４６０から遠く離れて位置する移動端末が、事故に関するブロードキャストメッセージをおそらく有効なものとして扱わないことを意味する。その一方で、連続した地理的エリア１２０内に位置する移動端末は、ブロードキャストメッセージを有効なものとして扱う。
【００４５】
図３は、本発明の別の例を概略的に示している。本発明のアプリケーションを用いて、（ブロードキャスト配信エリアとも呼ばれる）サブエリア１１０を、単一のセル１００（又は非セルラ移動通信ネットワークの場合にはローカル無線カバーエリア１００）の一部（subset）として定める。図３は、本発明におけるセルラ通信ネットワーク３００内の複数のセル１００を概略的に示している。これらのセル１００のうちの１つは、５つの点１０５、１０６、１０７、１０８、１０９で構成された多角形によって定められるサブエリア１１０を含んでいる。ここでも、本発明における（サブエリア１１０に応じた）地理的有効性情報を含むブロードキャストメッセージにより、位置認識できる移動端末３１０は、そのブロードキャストメッセージが関係のあるものか否かを判断することができる。すなわち、ブロードキャストメッセージの有効性の検証を行うことができる。これは、サブエリア１１０の外に位置する移動端末が、そのブロードキャストメッセージをおそらく有効なものとして扱わないことを意味する。その一方で、サブエリア１１０内に位置する移動端末は、そのブロードキャストメッセージを有効なものとして扱う。
【００４６】
図４は、（一例として、ＵＭＴＳ又はＬＴＥといったセルラネットワークを用いる）メッセージフローを概略的に示している。セルラ移動通信ネットワーク３００は、コアネットワーク３０１と、ＮｏｄｅＢ又はｅＮｏｄｅＢ（通常は基地局）などのローカル無線アクセスネットワークエンティティ３０２とを有している。各セル１００内の無線アクセスネットワークエンティティ３０２又は基地局３０２は、各無線セル１００において移動端末３１０にリンクしている。地理的有効性情報４１０を含んだブロードキャストメッセージ４００は、コアネットワーク３０１から無線アクセスネットワークエンティティ３０２へ、そして移動端末３１０へと送信される。ブロードキャストメッセージ４００を送信する前に、セル１００内のサブエリア１１０に応じた地理的有効性情報４１０が定められる。サブエリア１１０が（図２を参照して説明したような）連続した地理的エリア１２０の一部ではない図３のような状況では、本発明におけるセル１００内のサブエリア１１０は、ＧＰＳ点又はＧＰＳ座標等の地理的な基準情報によって定められる。この地理的な基準情報はセル１００内にある。少なくとも３つの地理的な点（例えば図３に示した５つの点１０５、１０６、１０７、１０８、１０９）により、サブエリア１１０を定めることができる。あるいは、１つの地理的な点と（図示していない）半径の情報とによってサブエリア１１０を定めることもできる。サブエリア１１０が連続した地理的エリア１２０の一部であるような図２の状況では、本発明における第１のセル１０１、第２のセル１０２、第３のセル１０３、第４のセル１０４の内部にある第１のサブエリア１１１、第２のサブエリア１１２、第３のサブエリア１１３、第４のサブエリア１１４（つまり地理的有効性情報４２０）は、ＧＰＳ点又はＧＰＳ座標などの地理的基準情報により定められる。この地理的基準情報は、セル１０１、１０２、１０３、１０４のそれぞれの中にあるか、又は少なくとも部分的には各セル１０１、１０２、１０３、１０４の外にある。第１のケースでは、第１のサブエリア１１１から第４のサブエリア１１４によって地理的有効性情報４２０が異なるものの、サブエリア１１１から１１４までの異なった定義（definition）を組み合わせることで連続した地理的エリア１２０が得られる。第２のケースでは、地理的有効性情報４２０は、連続した地理的エリア１２０に関連する第１のサブエリア１１１から第４のサブエリア１１４に関して同一である。図３の例では、少なくとも３つの地理的な点（例えば図２に示した４つの点１０６、１０７、１０８、１０９）により、連続した地理的エリア１２０を定めることができる。あるいは、１つの地理的な点と（図示していない）半径の情報とによって、連続した地理的エリア１２０を定めることもできる。
【００４７】
本発明によれば、移動端末３１０は位置認識ができる移動端末３１０である。すなわち、図４に示しているように、移動端末３１０の地理的な位置に関するロケーション情報４２０をその移動端末が利用できる。
【００４８】
図５は、本発明において、位置認識ができる移動端末３１０によるブロードキャストメッセージ４００の選択的なハンドリングを可能とする、移動端末３１０におけるブロードキャストメッセージ４００のハンドリングを表す概略的なフローチャートである。最初に（図５にて符号５１０により示すように）、移動端末３１０がブロードキャストメッセージを受信する。次に（図５にて符号５２０によって示すように）、本発明に係るブロードキャストメッセージ４００の適応的なハンドリングを行うか否かの判断を行う。本発明に係るブロードキャストメッセージ４００の適応的なハンドリングを行う場合には（図５の左側のフロー）、（図５の符号５３０により示すような）後続の段階で、（特に、移動端末３１０の地理的な位置に関するロケーション情報４２０と比較することにより）移動端末３１０がセル１００のサブエリア１１０内に位置しているか否かが判断される。この比較結果に応じて、ブロードキャストメッセージ４００の適応的なハンドリングが行われる。例えば、移動端末３１０がサブエリア１１０内に位置している場合には、各アプリケーションに関してブロードキャストメッセージの配信が行われ、例えば移動端末３１０の表示手段上にブロードキャストメッセージが表示される。移動端末３１０がサブエリア１１０内に位置する場合のブロードキャストメッセージ４００のハンドリングを、図５の符号５４０により示している。ブロードキャストメッセージのハンドリングが行われた後に、プログラムの流れは、図５の符号５５０により示す終了状態又はアイドル状態に進む。（判断５３０にて）移動端末３１０がサブエリア１１０外に位置していると判明した場合には、プログラムの流れは終了状態又はアイドル状態５５０に進む。あるいは、又は付加的に、移動端末３１０がサブエリア１１０外に位置している場合の（例えば別の）ハンドリングを行うこともできる。
【００４９】
（判断５２０により）ブロードキャストメッセージの選択的又は適応的なハンドリングが行われない場合であっても、ブロードキャストメッセージ４００をハンドリングすることができる。これを図５の符号５６０により表している。ブロードキャストメッセージのハンドリング（符号５６０）が行われた後に、プログラムの流れは終了状態又はアイドル状態５５０に進む。あるいは、（判断５２０によりブロードキャストメッセージの選択的又は適応的なハンドリングを行わない）この場合には、プログラムの流れは終了状態又はアイドル状態５５０に進む。
【００５０】
図６は、ブロードキャストメッセージ４００の例を概略的に示している。一例としてブロードキャストメッセージ４００は、地理的有効性情報４１０の第１の例４１１と、そのブロードキャストメッセージに対応（corresponding）するメッセージ内容の第１の例４０１とを含む。好ましくは、地理的有効性情報４１０とメッセージ内容とは、移動端末３１０とサービス提供基地局装置との間にある異なったチャネルを通じて送られる。
【００５１】
このことを図７に概略的に示している。図７では、地理的有効性情報４１０の第１の例４１１と、地理的有効性情報４１０の第２の例４１２とが、ブロードキャストメッセージに対応するメッセージ内容とともに示されている。メッセージ内容の第１の例４０１は地理的有効性情報の第１の例４１１に対応しており、メッセージ内容の第２の例４０２は地理的有効性情報４１０の第２の例４１２に対応している。
【００５２】
本発明によれば、（必ずしも地理的有効性情報４１０とともに送信されるわけではないが）地理的有効性情報４１０の一部として送信される参照情報（reference information）によってこの対応関係をつけることが好ましい。参照情報を送信することにより、ブロードキャストメッセージ４００内の地理的有効性情報４１０と、そのブロードキャストメッセージの内容とを関係付けることができる。図７に示す例においては、第１のブロードキャストメッセージと第２のブロードキャストメッセージとが概略的に示されている。第１の所与のブロードキャストメッセージは、地理的有効性情報の第１の例４１１と、このブロードキャストメッセージに対応する内容４０１とを含んでいる。そして、第２の所与のブロードキャストメッセージは、地理的有効性情報の第２の例４１２と、このブロードキャストメッセージに対応する内容４０２とを含んでいる。
【００５３】
本発明の好ましい実施形態によれば、地理的有効性情報４１０の第１の例４１１及び第２の例４１２は、制御チャネル、例えばＵＭＴＳ又はＬＴＥのＭＣＣＨ（Multicast Control Channel、マルチキャスト制御チャネル）を通じて送られる。そして、それと対応するブロードキャストメッセージ４００に対応するメッセージ内容４０１、４０２は、別のチャネルを通じて送られる。この別のチャネルとは、例えば、ＵＭＴＳ又はＬＴＥの第１のＭＴＣＨ（Multicast Transport Channel、マルチキャストトランスポートチャネル）及び第２のＭＴＣＨといった別のトランスポートチャネルである。本発明のこの好ましい実施形態によれば、地理的有効性情報を所与のブロードキャストメッセージのメッセージ内容と結び付ける参照情報により、地理的有効性情報４１０の第１の例４１１は、（第１の参照情報により）第１のメッセージ内容４０１を参照する（又はその印（indication）を含む）。そして、地理的有効性情報４１０の第２の例４１２は（第２の参照情報により）第２のメッセージ内容４０２を参照する（又はその印（indication）を含む）。メッセージ内容４０１、４０２が地理的有効性情報のそれぞれの例４１１、４１２の後に送信される（すなわち、第１のメッセージ内容４０１が地理的有効性情報４１０の第１の例４１１の後に送信され、第２のメッセージ内容４０２が地理的有効性情報４１０の第２の例４１２の後に送信される）という好ましい場合において、移動端末３１０の地理的位置又はロケーション情報４２０に対する、地理的有効性情報４１０に対応する例４１１、４１２の有効性検証の結果が否定的なものである場合には、移動端末３１０は、メッセージ内容４０１、４０２を無視することができる（これは、対応するメッセージ内容４０１、４０２の復号が、有効性検証の結果が肯定的なものである場合にのみ行われることを意味する）。好ましくは、本発明によれば、（互いに対応する地理的有効性情報とメッセージ内容とを含む）所与のブロードキャストメッセージについて、地理的有効性情報の送信終了と、そのブロードキャストメッセージに対応するメッセージ内容の送信開始との間に、少なくとも１つの送信時間間隔（Transmission Time Interval、ＴＴＩ）の時間遅延が設けられる。これにより、移動端末は、ブロードキャストメッセージ４００に対応するメッセージ内容の送信開始前に地理的有効性情報の有効性を検証することができるようになる。それによって、（移動端末３１０により）関連がないということが検出されたブロードキャストメッセージ４００に関して、そのようなブロードキャストメッセージ４００の内容の受信及び復号を回避することができる。
【００５４】
次に、メッセージ配信のためのｅＭＢＭＳ機能をサポートするＬＴＥシステムにおける地方（rural）のマクロセル及び位置認識を行うユーザ機器（user equipment, ＵＥ）３１０を例として、セル１００における限られた地理的エリア（サブエリア１１９）のみにおけるブロードキャストメッセージ４００の選択的なハンドリングについて説明する。
【００５５】
ブロードキャストメッセージ４００の選択的なハンドリングを可能とするために、セルラネットワーク３００がブロードキャストメッセージ４００に加えてジオロケーション情報（地理的有効性情報４１０）を提供する。それによって、セル１００における限定されたサブエリア１１０内の移動端末３１０又はＵＥ３１０が、受信したブロードキャストメッセージ４００を別のやり方で、かつ移動端末３１０の現在の位置と現在の移動方向との少なくとも一方に応じてハンドリングするか又は取り扱うことができるようになる。つまり、本提案に係る方法は、ブロードキャストメッセージがＵＥによりハンドリングされ、最終的には末端の顧客又はアプリケーションに提示されるようなエリアを、ネットワークにおける定められたエリアすなわちサブエリア１１０として示すものである。定められたエリアすなわちサブエリア１１０は、好ましくは、ブロードキャストを受信する地理的エリアを表す地理的座標によって構成されるものである。
【００５６】
ブロードキャスト受信のための、マクロセル１００内の地理的エリア又はサブエリア１１０を定めるために、様々な方法を用いることができる。例えば、サブエリア１１０を定めるにあたり、ＧＰＳ座標に基づいた方法を用いることができる。（受信エリアとも呼ばれる）サブエリア１１０を定めるべく、ネットワーク３００は、基準点（reference point）と、受信エリア１１０を表す半径とを定めることにより、その受信エリア１１０を構成することができる。基準点は経度及び緯度で表され、半径Ｒは、ブロードキャストメッセージが移動端末３１０により受信されるか又は特にハンドリングされる、前記基準点の周りの最大距離を定めるものである。移動端末３１０及び構成されたブロードキャスト受信エリア１１０の実際の座標に基づき、移動端末３１０は、当該移動端末３１０の現在の位置が、定められたブロードキャスト受信エリア１１０内か、又はその外かを判断することができる。
【００５７】
ＵＥの現在の位置がブロードキャスト受信エリア１１０内の場合には、ＵＥ３１０内の受信部は、受信したブロードキャストメッセージ４００を更に処理する（例えばその内容をユーザに示す、更なる処理に用いる等の）ために端末アプリケーションに転送する。他方、ＵＥ３１０が定められたブロードキャスト受信エリア１１０の外にいる場合には、受信したメッセージは、破棄などの別のハンドリングがなされる。
【００５８】
更なる最適化により、基準位置及び半径による定め方よりも正確又は選択的にブロードキャスト受信エリアを定めることができるようになる。構成が複数の基準点によってなされる場合には、本方法は、ブロードキャスト受信のための受信エリア１１０を多角形として定めることができる。例えば、（ＧＰＳ座標として与えられるなどして）３つの基準点が定められ、かつそれらの基準点が、ブロードキャスト受信エリア１１０の定義（definition）を管理するアプリケーションによって接続されている場合には、ブロードキャスト受信エリア１１０は三角形となり、その三角形においてＵＥ３１０はブロードキャストメッセージ４００を受信する。４つの基準点が定められ、かつそれらの基準点が、ブロードキャスト受信エリア１１０の定義（definition）を管理するアプリケーションによって接続されている場合には、ブロードキャスト受信エリア１１０は四角形又は矩形となり、その四角形又は矩形においてＵＥ３１０はブロードキャストメッセージ４００を受信する。その他も同様である。本発明によれば、（以下「多角形」と呼ぶ）接続されているより多くの基準点が定められている場合には、セル１００においてブロードキャスト受信エリア１１０をきめ細かく定める（fine granular definition）ことができる。
【００５９】
本発明に関して、上記で例示的に説明したようなブロードキャスト受信エリア１１０の定め方は、単一のセル１００のカバーエリア内のサブエリア１１０に限られない。（例えば多角形の）ブロードキャスト受信エリアは、２つ以上のセル１００にまたがって任意に定めることができる。その結果、関与する複数の無線セル１００に関連する複数のサブエリア１１０を有する連続した地理的エリア１２０が定められる。
【００６０】
以下、交通情報の選択的なブロードキャストを例として、本提案の方法の実際の適用形態を説明する。現在のところ、交通情報は、例えば通常必要とされるよりも大きなエリアにおいて選択的ではない方式で無線局からブロードキャストされる。通常、この粒状度（あるいはブロードキャストの範囲の細かさ）（granularity）は、無線局が受信できるエリア（通常、何十キロメートルにもわたり、最大で何百キロメートルにもわたる領域。例えばドイツにおける連邦州（Bundesland）。）である。似たような状況は、動的な交通経路設定（dynamic traffic routing）用のナビゲーションシステムのための交通情報自動通知にもいえる。ＬＴＥ（Long Term Evolution）ネットワークのためのｅＭＢＭＳ（evolved Multicast Broadcast Multimedia Service）といったセルラネットワークにおけるブロードキャスト技術も、交通情報、天気予報、ニュースティッカ（newsticker）、株式情報といった情報を移動機のユーザに配信できるように設計されている。ＵＭＴＳのためのＭＢＭＳ（Multicast Broadcast Multimedia Service）及びＬＴＥ（Long Term Evolution）のためのｅＭＢＭＳ（evolved Multicast Broadcast Multimedia Service）に関する現在の制限事項は、いわゆるＭＢＭＳ（Multicast Broadcast Multimedia Service）のサービスエリアの粒状度である。３ＧＰＰ（Third Generation Partnership Project）における（ｅ）ＭＢＭＳの現在の定義によれば、（ｅ）ＭＢＭＳサービスエリアの最も小さな粒状度はセルであるが、引用することにより本明細書の一部をなすものとする文書3GPP TS 36.300 v.9.0.0の特に第１５章における技術仕様等に定められているように、通常は、１つよりも多くのセルによりＭＢＳＦＮサービスエリアが定められる。
【００６１】
つまり、本発明の目的は、（ｅ）ＭＢＭＳサービスエリアが１つよりも多くのセル１００からなる場合に、この（ｅ）ＭＢＭＳサービスエリア内のセル１００のサブエリア１１０又は任意に定められた受信エリア（連続した地理的エリア１２０）においてブロードキャストメッセージ４００の選択的なハンドリングをできるようにする方法を定めることである。
【００６２】
交通情報の場合には、特に、事故の警告、（脱落した車両部品等の）道路上の物又は道路において誤った側を走行している車両に関する警告といった地理的に限定された影響の場合には、有利には、そのような情報を、そのような事象の次の近傍（next vicinity）にのみブロードキャストして、問題のエリアに入ろうとしている車両の運転者にのみ通知することができる。従来の音声による無線ブロードキャスト通知を用いる場合のような（何十キロメートルにもわたり、最大で何百キロメートルにもわたるような領域、例えばドイツにおける連邦州（Bundesland）のような）大きなエリア、又は（ｅ）ＭＢＭＳを用いる場合のセル全体（ここで、通知エリアは最小でも単一の（通常５キロメートル〜２０キロメートル、場合によっては１３５キロメートル以上のサイズを有する）セル）の全ての車両の運転者に通知するわけではない。
【００６３】
特に、（引用することにより本明細書の一部をなすものとする文書3GPP TS26.267による技術仕様等において定められているような）ｅＣａｌｌといった緊急サービスのために車両内に組み込まれているデータ可用性（data capability）及びＧＰＳ機能を有する移動端末３１０の搭載開始とともに（これは２０１０年９月から欧州連合において新しい車両に義務付けられた）、特に車両においてＧＰＳに基づく方法を用いて、より粒状の（あるいはより細かい粒状の）通知方法を可能とするための基礎が築かれている。したがって、以下、高速道路上の危険な物について警告する車両通知シナリオに関し、本提案に係る方法の実施態様をより詳細に説明する。
【００６４】
例えば、警察が、特定の高速道路（例えば高速道路１２３）上の特定の位置（例えば１００ｋｍ地点）において、ある危険な物が特定されたか、あるいは道路上の誤った側を走行している車両が見つかったことに関して電話などにより通報を受けた場合には、警察は、本方法を用いて、例えば半径１ｋｍの全ての車両に警告メッセージを配信し、それによりそれらの車両が速度を落とすか、あるいは正しいレーンのみを走行させるようにすることができる。従来の通知方法では、警察は無線ブロードキャスト局に状況を通知し、車両の運転者に警告するために（迅速な）音声に基づく通知が公衆無線を通じて送信される。この方法の不利な点は明らかである。すなわち以下の通りである。
ａ．交通の警告により現在の無線プログラムを中断しなければならない。
ｂ．車両の運転者は、当該運転者のラジオをオンにし、口頭の警告メッセージを聴かなくてはならない（運転者がＣＤ又はＭＰ３を聴いている場合には、とにかく警告を受信できるように交通自動通知を有効にしなくてはならない）。
ｃ．車両の運転者は、当該運転者が現在いるところを理解する必要がある。つまり、運転者は、危険な状況が関係のあるものであるか否か、すなわち「自分がどの高速道路にいるのか？」、「何ｋｍの地点か？あるいはどのジャンクションの近くか？」、「問題の方向へ向かっているのか、あるいは既に通り過ぎたのか？」といったようなことを判断しなくてはならない。
ｄ．極めて多くの警告メッセージを一度に受けた場合には、運転者が混乱し、その運転者に関係する情報を選択しない場合がある。
【００６５】
（ＧＳＭ（登録商標）、ＵＭＴＳ、ＬＴＥ、ＬＴＥ−Ａなどの）任意の種類のセルラ無線技術と組み合わせた、車両内において、インストールされているか又はスタンドアロンのナビゲーションシステムのような新たな技術の出現と、ロケーションの推定のためのＧＰＳの存在とにより、交通警告情報のハンドリングと配信の少なくとも一方の改良について良好な基礎が与えられる。その一方で、車両技術には、いわゆる「ヘッドアップディスプレイ」の商用利用のような、運転者に対する情報のための最新技術が取り入れられている。「ヘッドアップディスプレイ」は基本的に、運転者の視野（view scope）における透明なディスプレイであり、道路から従来のディスプレイに視点を移す必要なく運転者に関連情報を表示するために用いられるものである。
【００６６】
説明の目的のみで、車両はセルラ無線機能（例えばＬＴＥ）と、位置特定のためのＧＰＳ受信機と、警告メッセージを表示するためのディスプレイとを備えていることを前提とする。例えば、このような車両は、ｅＭＢＭＳによって提供される交通情報サービスにデフォルトであるいは要求に応じて加入することができる。本発明のこの例示的な実施形態に関して、車両の電力システムを通じた給電による電力制限がないため、ｅＭＢＭＳサービス及びＧＰＳ受信機の連続的な受信を前提とする。
【００６７】
例えば、危険な地点が警察に通報されると、警察は、その高速道路上のそれぞれの位置（例えば高速道路１２３の１００ｋｍ地点）の全ての車両に対する警告メッセージ４００のブロードキャストをトリガする。通知は、例えば、（南へ向かうレーンには関係しないために）北へ向かうレーン上の９８ｋｍ地点と危険地点（１００ｋｍ地点）との間の全ての車両にブロードキャストされる。
【００６８】
したがって、本明細書において説明した方法を用いて、ｅＭＢＭＳサービスが警告メッセージをブロードキャストメッセージ４００（例えば、テキスト形式又はグラフィック形式であるがそれらに限定されない）として、説明した警告通知エリア（すなわち北へ向かうレーン上の９８ｋｍ地点と危険地点（１００ｋｍ地点）との間）に広がる移動通信ネットワーク３００の１つ以上のセル１００に配信することができる。警告メッセージ４００の選択的なハンドリングを可能とするために、危険地点が発生した基準位置（緯度、経度）を、ｅＭＢＭＳ警告メッセージとともに提供することができる。例えば（高速道路１２３上の９８ｋｍ地点と１００ｋｍ地点との間の車両に通知するために）２ｋｍの半径を与えるとともに、問題のエリアに向けて北に向かっている車両の運転者が警告を受けることになる。このような構成において、基準点の周り２ｋｍのエリア内の全ての車両ユーザが（特に、高速道路上ではない車両のユーザも）警告を受けることになる。ブロードキャストメッセージ４００のハンドリングの特殊性を更に高めるために、関連する警告エリアを多角形として定めることが提案される。この場合、警告メッセージは高速道路１２３上の９８ｋｍ地点と１００ｋｍ地点との間を北に向かっている車両にのみ配信するべきである。したがって、上記の例における円よりもはるかに緻密な多角形を定める必要がある。この特定の例の場合、例えば１００ｍの幅及び２０００ｍの長さの矩形状多角形が定められ、高速道路１２３を９８ｋｍ地点から１００ｋｍ地点までカバーするように配置される。この警告通知エリアのより緻密な定め方によれば、主に、９８ｋｍ地点と１００ｋｍ地点との間のエリア内のそれぞれの高速道路１２３上の車両が通知を受ける。警告通知エリア（又は連続した地理的エリア１２０若しくはサブエリア１１０）のこのような定め方によれば、南に向かう車両内の移動端末３１０も関与することとなる。ブロードキャストメッセージ４００の更に適応的なハンドリングを行うために、本発明は、移動端末３１０の移動方向にも応じて、移動端末３１０が受信したブロードキャストメッセージを有効にすることを提案する。すなわち、有利には、更なる情報を用いて、北方に走行している車両のみに情報を提供するように本発明の方法を向上させることが提案される。これは、定められた警告通知エリア内の車両に対して追加の方向情報（heading information）を与えることによって行うことができる。通常、移動端末３１０の移動方向は移動端末３１０内に保存される。本発明によれば、地理的有効性情報４１０を評価する際に考慮される（移動端末３１０の）移動方向は、例えば以下のうちの１つとすることができる。
・移動端末３１０の現在の（又はその瞬間の）移動方向。
・（それまでの）所定の時間間隔に対する、あるいは（それまでに移動した）所定の距離に対する平均的な移動方向。
・移動端末が現時点でほぼ静止している場合には、直近に測定された移動端末の移動方向。
【００６９】
技術的にみて、局所化された各ブロードキャストメッセージの追加情報は、少なくとも１つの基準点（緯度、経度）及び半径（Ｒ）によって地理的エリア又は地理的領域を定めるものである。この地理的領域内のブロードキャスト受信機のみが（表示などの）更なる処理のためにブロードキャストメッセージを利用することになる。有利には、地理的領域の定め方は、任意に定められた多角形により、より緻密に行うことができる。この多角形は、最も単純な形式では、３つ又は４つの基準点（緯度、経度）からなるものの、より多くの基準点を用いることにより向上させることができる。別の有利な向上点として、指定された方向に向かっている（例えば車両内の）端末へのブロードキャストメッセージかどうかをフィルタリングするために、向き情報も提供される。
【００７０】
本発明の説明という意味で、ブロードキャストメッセージとともに地理的有効性情報（又は配信情報）を配信することが提案される。これは、例えばＬＴＥ技術を用いるｅＭＢＭＳにおいて、ブロードキャストメッセージを搬送するＭＴＣＨ（eMBMS Traffic Channel）、又は好ましくはＭＣＣＨ（eMBMS Control Channel）を通じて、（ＯＳＩモデル（Open Systems Interconnections Model）の定義に従って）より低いレイヤ（例えば第２層又は第３層）で行うことができる。
【００７１】
本発明の代替的な実施形態においては、地理的有効性情報は、アプリケーションレイヤプロトコルにおいて（ブロードキャストメッセージの）メッセージ内容とともに提供される。
【００７２】
本発明の実施形態では、配信エリアを定める追加の情報要素を決めることができる。この情報要素は、以下のように構成することができる。
選択的な配信          ｙｅｓ／ｎｏ
ハンドリングエリア    ＧＰＳによる定義
基準点１              北緯５０．８００°東経７．０００°
基準点２              北緯５０．８０１°東経７．００３°
基準点３              北緯５０．７８１°東経７．０１９°
基準点４              北緯５０．７８０°東経７．０１５°
向き依存              ｙｅｓ／ｎｏ
向き                  １４０から１７０度
静止時の配信          ｙｅｓ／ｎｏ
．．．                  ．．．
【００７３】
さらに、関与する配信エリア１１０よりも大きなエリアにてメッセージ４００を受信できるようにする手順を用いて選択的な配信の仕組みを向上させることもできる。このメッセージ４００は保存され、関与する配信エリアに達するとメッセージ４００が表示される。すなわちメッセージは待機状態又は「表示するための配信」として移動端末３１０に保存される。この場合、保存期間も任意選択的に用いることができる。
【図１】
2013513263.tif 000003
【図２】
2013513263.tif 000004
【図３】
2013513263.tif 000005
【図４】
2013513263.tif 000006
【図５】
2013513263.tif 000007
【図６】
2013513263.tif 000008
【図７】
2013513263.tif 000009
【国際調査報告】
2013513263.tif 000010
2013513263.tif 000011